【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
椎間板インプラントであって、該椎間板インプラントは、以下：
隣接する椎体間に挿入されるように適合されるケラチン材料の層
を備える、椎間板インプラント。
【請求項２】
別のポリマー層を含む、請求項１に記載の椎間板インプラント。
【請求項３】
別の合成ポリマー層を含む、請求項１に記載の椎間板インプラント。
【請求項４】
請求項１に記載の椎間板インプラントであって、該インプラントは、ポリエチレン、ポリ（テトラフルオロ）エチレン、ポリスチレン、ポリエステル、シリコーン、および他の合成ポリマーのうちの１つにカプセル化される、前記層を含む。
【請求項５】
ケラチンヒドロゲルを含む前記ケラチン材料の層を含む、請求項１に記載の椎間板インプラント。
【請求項６】
不織材料上に沈着したケラチン材料を含む前記層を含む、請求項１に記載の椎間板インプラント。
【請求項７】
織られた材料上に沈着したケラチン材料を含む前記層を含む、請求項１に記載の椎間板インプラント。
【請求項８】
ポリマーである前記不織材料を含む、請求項１に記載の椎間板インプラント。
【請求項９】
ポリマーである前記織られた材料を含む、請求項１に記載の椎間板インプラント。
【請求項１０】
ケラチン材料の別の層を含む、請求項１に記載の椎間板インプラント。
【請求項１１】
複数の層を含む請求項１に記載の椎間板インプラントであって、該複数の層のうちの少なくとも１つは、ケラチン材料の別の層であり、かつ少なくとも１つは、ポリマー層である、椎間板インプラント。
【請求項１２】
ポリマー材料の層間に挟まれる、前記ケラチン材料の層を含む、請求項１に記載の椎間板インプラント。
【請求項１３】
隣接する椎体間にフィットするように適合させるために楔形状に形作られる、前記ケラチン材料の層を含む、請求項１に記載の椎間板インプラント。
【請求項１４】
隣接する椎体間に合うように適合されるために不規則に形作られる、前記ケラチン材料の層を含む、請求項１に記載の椎間板インプラント。
【請求項１５】
椎骨円板の核を部分的に置換するための前記層を含む、請求項１に記載の椎間板インプラント。
【請求項１６】
椎骨円板の核全体を置換するための前記層を含む、請求項１に記載の椎間板インプラント。
【請求項１７】
椎骨円板の核および輪を少なくとも部分的に置換するための前記層を含む、請求項１に記載の椎間板インプラント。
【請求項１８】
成長因子、および生存細胞のうちの少なくとも１つを含む前記層を含む、請求項１に記載の椎間板インプラント。
【請求項１９】
椎間板インプラントであって、該椎間板インプラントは、以下：
円板環の形状に形成されるケラチンベースの材料の１つ以上の層；および
円板環の形状を満たすケラチンベースのヒドロゲル、
を含む、椎間板インプラント。
【請求項２０】
前記層が、ケラチンベースの材料の同心円層である、請求項１９に記載の椎間板インプラント。
【請求項２１】
前記層のうちの少なくとも１つが、不織材料上に沈着したケラチンベースの材料を含む、請求項１９に記載の椎間板インプラント。
【請求項２２】
前記層のうちの少なくとも１つが、織られた材料上に沈着したケラチンベースの材料を含む、請求項１９に記載の椎間板インプラント。
【請求項２３】
前記不織材料がポリマーである、請求項２１に記載の椎間板インプラント。
【請求項２４】
前記織られた材料がポリマーである、請求項２２に記載の椎間板インプラント。
【請求項２５】
前記層が多孔性である、請求項１９に記載の椎間板インプラント。
【請求項２６】
前記層が非多孔性である、請求項１９に記載の椎間板インプラント。
【請求項２７】
椎間板インプラントであって、該椎間板インプラントは、以下：
ケラチンヒドロゲルで満たされる複数のエンベロープ；および
１つのエンベロープ中に入れられた、該複数のエンベロープ、
を含む、椎間板インプラント。
【請求項２８】
椎間板インプラントであって、該椎間板インプラントは、以下：
ケラチンヒドロゲルで満たされる複数のエンベロープ；および
該ケラチンヒドロゲルが、あるエンベロープから別のエンベロープへ進められ得るような経路によって接続された、該複数のエンベロープ、
を含む、椎間板インプラント。
【請求項２９】
円板環を修復するために適合されたケラチンベースの材料のシートを含む、輪修復物。
【請求項３０】
円板環を修復するために適合されたケラチンベースの材料のプラグを含む、輪修復物。
【請求項３１】
織られた材料および不織材料の１つの上に沈着されるケラチンベースの材料を含む、輪修復物。
【請求項３２】
前記層が、軟骨細胞、線維軟骨細胞、線維芽細胞、骨芽細胞および／または骨細胞のうちの少なくとも１つを含む、請求項１に記載のインプラント。
【請求項３３】
前記層が、骨形態発生タンパク質（ＢＭＰ）を含む、請求項１に記載のインプラント。
【請求項３４】
軟骨細胞、線維軟骨細胞、線維芽細胞、骨芽細胞および／または骨細胞のうちの少なく
とも１つを含む、請求項１９に記載のインプラント。
【請求項３５】
骨形態発生タンパク質（ＢＭＰ）を含む、請求項１９に記載のインプラント。
【請求項３６】
前記シートが、軟骨細胞、線維軟骨細胞、線維芽細胞、骨芽細胞および／または骨細胞のうちの少なくとも１つを含む、請求項２９に記載のインプラント。
【請求項３７】
前記シートが、骨形態発生タンパク質（ＢＭＰ）を含む、請求項２９に記載のインプラント。
【請求項３８】
前記プラグが、軟骨細胞、線維軟骨細胞、線維芽細胞、骨芽細胞および／または骨細胞のうちの少なくとも１つを含む、請求項３０に記載のインプラント。
【請求項３９】
前記プラグが、骨形態発生タンパク質（ＢＭＰ）を含む、請求項３０に記載のインプラント。
【請求項４０】
各層がケラチンベースの材料で形成され、かつ各層が方向性の異なる構造特性を有する、複数の層を含む、請求項１９に記載のインプラント。
【請求項４１】
上層および下層のうちの少なくとも１つが、円板環に隣接して配置され、ここで、上層および下層のうちの少なくとも１つは、ケラチンベースの材料から形成される、請求項１９に記載のインプラント。
【請求項４２】
少なくとも１つの層が、ケラチンベースの材料のシートから形成される、請求項１９に記載のインプラント。
【請求項４３】
上層および下層のうちの少なくとも１つが、ケラチンベースの材料のシートから形成される、請求項４１に記載のインプラント。
【請求項４４】
前記エンベロープのうちの少なくとも１つが、ケラチンベースの材料からなる、請求項２７に記載のインプラント。
【請求項４５】
前記エンベロープのうちの少なくとも１つが、ケラチンベースの材料からなり、該材料は、不織材料の一部である、請求項２７に記載のインプラント。
【請求項４６】
前記エンベロープのうちの少なくとも１つが、ケラチンベースの材料からなり、該材料は、織られている材料の一部である、請求項２７に記載のインプラント。
【請求項４７】
前記エンベロープのうちの少なくとも１つが、ケラチンベースの材料の複数のシートからなる、請求項２７に記載のインプラント。
【請求項４８】
前記エンベロープのうちの少なくとも１つが、ケラチンベースの材料の複数のシートからなり、各シートは、方向性の異なる構造特性を有する、請求項２７に記載のインプラント。
【請求項４９】
前記エンベロープのうちの少なくとも１つが、その中に細胞および増殖因子のうちの少なくとも１つを含む、請求項２７に記載のインプラント。
【請求項５０】
前記エンベロープのうちの少なくとも１つが、ケラチンベースの材料からなる、請求項２８に記載のインプラント。
【請求項５１】
前記エンベロープのうちの少なくとも１つが、ケラチンベースの材料からなり、該ケラチンベースの材料は、不織材料の一部である、請求項２８に記載のインプラント。
【請求項５２】
前記エンベロープのうちの少なくとも１つが、ケラチンベースの材料からなり、該ケラチンベースの材料は、織られている材料の一部である、請求項２８に記載のインプラント。
【請求項５３】
前記エンベロープのうちの少なくとも１つが、ケラチンベースの材料の複数のシートからなる、請求項２８に記載のインプラント。
【請求項５４】
前記エンベロープのうちの少なくとも１つが、ケラチンベースの材料の複数のシートからなり、各シートは、方向性の異なる構造特性を有する、請求項２８に記載のインプラント。
【請求項５５】
円板環を修復するために適応されるケラチンベースの材料の複数のシートを含む、請求項２９に記載のインプラント。
【請求項５６】
少なくとも部分的に円板環の形状に形成される、ケラチンベースの材料の複数の層を含む、椎間板インプラント。
【請求項５７】
内部空洞を規定する前記層を含む、請求項５８に記載のインプラントであって、該空洞は、その中に細胞および増殖因子のうちの少なくとも１つを有する、インプラント。